(57)【特許請求の範囲】
【請求項１】
リスク情報提供端末装置と、
複数の人物の生体情報とそれらの人物の身元情報とが関連付けて格納される身元情報データベースと、
複数の人物の身元情報とそれらの人物のリスク情報を含む可能性がある特定情報とが関連付けて格納され、かつ、前記リスク情報とそのリスク情報を有する人物に近づいて触れようとするときの対処方法に係る対処情報とが関連付けて格納されるリスク情報データベースと、
を有し、
前記リスク情報提供端末装置は、
人物の生体情報を取得する生体情報取得部と、
前記身元情報データベースと前記リスク情報データベースと通信し、前記生体情報取得部により取得された前記生体情報に基づいて前記身元情報データベースから前記身元情報を取得するとともに、その身元情報に基づいて前記リスク情報データベースから前記リスク情報を取得し、そのリスク情報に基づいて前記リスク情報データベースから前記対処情報を取得する通信部と、
前記リスク情報データベースから取得された前記リスク情報及び前記対処情報を記憶する記憶部と、
前記記憶部に記憶された前記リスク情報及び前記対処情報を表示する表示部と、
を備えることを特徴とする医療診断支援システム。
【請求項２】
前記身元情報データベースは、個人認証を行うための生体情報が格納されるデータベースであることを特徴とする請求項１記載の医療診断支援システム。
【請求項３】
前記リスク情報データベースは、特定情報として電子カルテ情報が格納される電子カルテ情報データベースであることを特徴とする請求項１記載の医療診断支援システム。
【請求項４】
前記リスク情報データベースは、特定情報として渡航情報が格納される渡航情報データベースであることを特徴とする請求項１記載の医療診断支援システム。
【請求項５】
リスク情報提供端末装置と、
複数の人物の生体情報とそれらの人物の身元情報とが関連付けて格納される身元情報データベースと、
複数の人物の身元情報とそれらの人物のリスク情報を含む可能性がある特定情報とが関連付けて格納されるリスク情報データベースと、
を有し、
前記リスク情報提供端末装置は、
人物の生体情報を取得する生体情報取得部と、
前記身元情報データベースと前記リスク情報データベースと通信し、前記生体情報取得部により取得された前記生体情報に基づいて前記身元情報データベースから身元情報を取得するとともに、その身元情報に基づいて前記リスク情報データベースからリスク情報を取得する通信部と、
人物が倒れている場合、その人物の周囲の環境情報を取得する環境情報取得部と、
前記環境情報取得部により取得された前記環境情報の中にリスク情報が含まれているか否かを判断する判断部と、
前記リスク情報データベースから取得された前記リスク情報及び前記判断部により判断された前記リスク情報を記憶する記憶部と、
前記記憶部に記憶された前記リスク情報の両方を表示する表示部と、
を備えることを特徴とする医療診断支援システム。
【請求項６】
リスク情報提供端末装置と、
複数の人物の生体情報とそれらの人物の身元情報とが関連付けて格納される身元情報データベースと、
複数の人物の身元情報とそれらの人物のリスク情報を含む可能性がある特定情報とが関連付けて格納されるリスク情報データベースと、
を有し、
前記リスク情報提供端末装置は、
人物の生体情報を取得する生体情報取得部と、
前記身元情報データベースと前記リスク情報データベースと通信し、前記生体情報取得部により取得された前記生体情報に基づいて前記身元情報データベースから身元情報を取得するとともに、その身元情報に基づいて前記リスク情報データベースからリスク情報を取得する通信部と、
人物が倒れている場合、その人物の状態情報を取得する状態情報取得部と、
前記状態情報取得部により取得された前記状態情報の中にリスク情報が含まれているか否かを判断する判断部と、
前記リスク情報データベースから取得された前記リスク情報及び前記判断部により判断された前記リスク情報を記憶する記憶部と、
前記記憶部に記憶された前記リスク情報の両方を表示する表示部と、
を備えることを特徴とする医療診断支援システム。
【請求項７】
前記通信部は、前記リスク情報を関係機関に送信することを特徴とする請求項１ないし６のいずれか一項に記載の医療診断支援システム。
【請求項８】
人物の生体情報を取得する生体情報取得部と、
複数の人物の生体情報とそれらの人物の身元情報とが関連付けて格納される身元情報データベースと、複数の人物の身元情報とそれらの人物のリスク情報を含む可能性がある特定情報とが関連付けて格納され、かつ、前記リスク情報とそのリスク情報を有する人物に近づいて触れようとするときの対処方法に係る対処情報とが関連付けて格納されるリスク情報データベースと通信し、前記生体情報取得部により取得された前記生体情報に基づいて前記身元情報データベースから前記身元情報を取得するとともにその身元情報に基づいて前記リスク情報データベースから前記リスク情報を取得し、そのリスク情報に基づいて前記リスク情報データベースから前記対処情報を取得する通信部と、
前記リスク情報データベースから取得された前記リスク情報及び前記対処情報を記憶する記憶部と、
前記記憶部に記憶された前記リスク情報及び前記対処情報を表示する表示部と、
を備えることを特徴とするリスク情報提供端末装置。
【請求項９】
人物の生体情報を取得する生体情報取得部と、
複数の人物の生体情報とそれらの人物の身元情報とが関連付けて格納される身元情報データベースと、複数の人物の身元情報とそれらの人物のリスク情報を含む可能性がある特定情報とが関連付けて格納されるリスク情報データベースと通信し、前記生体情報取得部により取得された前記生体情報に基づいて前記身元情報データベースから身元情報を取得するとともにその身元情報に基づいて前記リスク情報データベースからリスク情報を取得する通信部と、
人物が倒れている場合、その人物の周囲の環境情報を取得する環境情報取得部と、
前記環境情報取得部により取得された前記環境情報の中にリスク情報が含まれているか否かを判断する判断部と、
前記リスク情報データベースから取得された前記リスク情報及び前記判断部により判断された前記リスク情報を記憶する記憶部と、
前記記憶部に記憶された前記リスク情報の両方を表示する表示部と、
を備えることを特徴とするリスク情報提供端末装置。
【請求項１０】
人物の生体情報を取得する生体情報取得部と、
複数の人物の生体情報とそれらの人物の身元情報とが関連付けて格納される身元情報データベースと、複数の人物の身元情報とそれらの人物のリスク情報を含む可能性がある特定情報とが関連付けて格納されるリスク情報データベースと通信し、前記生体情報取得部により取得された前記生体情報に基づいて前記身元情報データベースから身元情報を取得するとともにその身元情報に基づいて前記リスク情報データベースからリスク情報を取得する通信部と、
人物が倒れている場合、その人物の状態情報を取得する状態情報取得部と、
前記状態情報取得部により取得された前記状態情報の中にリスク情報が含まれているか否かを判断する判断部と、
前記リスク情報データベースから取得された前記リスク情報及び前記判断部により判断された前記リスク情報を記憶する記憶部と、
前記記憶部に記憶された前記リスク情報の両方を表示する表示部と、
を備えることを特徴とするリスク情報提供端末装置。
【発明の詳細な説明】
【技術分野】
【０００１】
本発明の実施形態は、医療診断支援システム及びリスク情報提供端末装置に関する。
【背景技術】
【０００２】
警察庁は、携帯電話型端末器を持った警察官を事件・事故等が発生した現場に出動させ、その警察官の位置を携帯電話型端末器に内蔵されている衛星利用測位システム（ＧＰＳ）の位置情報取得部で把握し、さらに、携帯電話型端末器の通信機能を利用して現場にいる警察官と警察本部との間で画像情報のやりとりを含めた通信を行う新たな通信指令システムを導入したことを発表している（下記非特許文献１参照）。
【０００３】
この通信指令システムによれば、ＧＰＳを利用することにより、現場に出動した警察官の位置を正確に知ることができる。さらに、携帯電話型端末器から送信される現場の画像情報を警察本部で見ることにより、警察本部では現場の状況を迅速に把握することができる。
【先行技術文献】
【非特許文献】
【０００４】
【非特許文献１】平成２３年版警察白書特集２第５章第２節の３警察の情報通信、平成２３年７月、[平成２４年５月７日検索]インターネット〈http://www.npa.go.jp/hakusyo/h23/honbun/html/2-sho5_2_3.Html〉
【発明の概要】
【発明が解決しようとする課題】
【０００５】
しかしながら、この通信指令システムでは、現場に倒れている人物がいた場合、その人物が倒れている原因や、その倒れている人物に触れること等の是非を判断することは困難である。例えば、血を流して倒れている人物が、Ｂ型肝炎、Ｃ型肝炎、後天性免疫不全症候群、梅毒等の血液媒介性感染症にかかっている場合には、その流れている血液に触れないようにしなければならない。しかし、倒れている人物が血液媒介性感染症にかかっているか否かが不明であるため、倒れている人物と接触する可能性がある警察官、救急隊員、その他の者の安全性を確保することが困難である。
【０００６】
本発明はこのような課題を解決するためになされたもので、その目的は、倒れている人物に接触する可能性がある警察官、救急隊員、その他の者の安全性を確保することができる医療診断支援システム及びこの医療診断支援システムで使用されるリスク情報提供端末装置を提供することである。
【課題を解決するための手段】
【０００７】
実施形態の医療診断支援システムは、リスク情報提供端末装置と、複数の人物の生体情報とそれらの人物の身元情報とが関連付けて格納される身元情報データベースと、複数の人物の身元情報とそれらの人物のリスク情報を含む可能性がある特定情報とが関連付けて格納され、かつ、リスク情報とそのリスク情報を有する人物に近づいて触れようとするときの対処方法に係る対処情報とが関連付けて格納されるリスク情報データベースと、を有し、リスク情報提供端末装置は、人物の生体情報を取得する生体情報取得部と、身元情報データベースとリスク情報データベースと通信し、生体情報取得部により取得された生体情報に基づいて身元情報データベースから身元情報を取得するとともに、その身元情報に基づいてリスク情報データベースからリスク情報を取得し、そのリスク情報に基づいてリスク情報データベースから対処情報を取得する通信部と、リスク情報データベースから取得されたリスク情報及び対処情報を記憶する記憶部と、記憶部に記憶されたリスク情報及び対処情報を表示する表示部と、を備える。
【図面の簡単な説明】
【０００８】
【図１】一実施形態の医療診断支援システムを示す模式図である。
【図２】医療診断支援システムにおける、処理全体の概略を説明するフローチャートである。
【図３】医療診断支援システムにおける、身元情報を取得する処理を説明するフローチャートである。
【図４】医療診断支援システムにおける、身元情報に基づきリスク情報データベースからリスク情報を取得する処理を説明するフローチャートである。
【図５】医療診断支援システムにおける、倒れている人物の周囲の環境情報の中からリスク情報を取得する処理を説明するフローチャートである。
【図６】医療診断支援システムにおける、倒れている人物の状態情報の中からリスク情報を取得する処理を説明するフローチャートである。
【発明を実施するための形態】
【０００９】
実施の一形態について図１を用いて説明する。
【００１０】
図１に示すように、本実施形態に係る医療診断支援システムは、警察官が携帯するリスク情報提供端末装置１を有している。このリスク情報提供端末装置１はインターネット２を介して各種データベース（図面上では、ＤＢと表わす。）に接続されている。
【００１１】
すなわち、このリスク情報提供端末装置１には、個人の身元情報が記憶されている身元情報データベースである指紋認証データベース３及び個人の身元情報から該当する個人がどのようなリスクを持っているかを記憶しているリスク情報データベース４が接続されている。
【００１２】
また、このリスク情報提供端末装置１には、倒れている人物が搬送される医療機関５ａあるいは死亡時医学検索センタ５ｂ等の関係機関５が接続されている。さらに、警察庁に設置される本部内通信機器６あるいは気象センタ７に接続されている。
【００１３】
次に、このインターネット２に接続されている各種データベース等につき説明する。
指紋認証データベース３には、複数の人物について、生体情報の一つである指紋情報とそれらの人物の身元情報（例えば、氏名、住所、保険証番号や生涯健康医療電子記録（ＥＨＲ;electric health record）番号等の各種ＩＤ番号、家族構成等の情報）とが関連付け
て格納されている。この指紋認証データベース３は、倒れている人物がいた場合、その人物の指紋情報に基づいてその人物の身元情報を取得する場合に利用される。この指紋認証データベース３は、例えば、警察庁等に設置されている。
【００１４】
リスク情報データベース４の一つである電子カルテ情報データベース４ａには、複数の人物の身元情報と、それらの人物のリスク情報を含む可能性がある特定情報である電子カルテ情報とが関連付けて格納されている。電子カルテ情報中に含まれるリスク情報とは、例えば、Ｂ型肝炎、Ｃ型肝炎、後天性免疫不全症候群、梅毒等の血液媒介性感染症にかかっているという情報である。この電子カルテ情報データベース４ａの一例としては、例えば、医療情報を地域や国、国際レベルで共有することを目的として設置されている生涯健康医療電子記録（ＥＨＲ）のデータベースを挙げることができる。この電子カルテ情報データベース４ａは、倒れている人物がいた場合、その人物の身元情報に基づいてその人物が有するリスク情報を取得する場合に利用される。
【００１５】
また、電子カルテ情報データベース４ａには、各リスク情報に対応付けられた対処情報が格納されている。この「対処情報」とは、リスク情報を有する人物に対処する方法の情報であり、例えば、「その人物に濃厚な接触をする時にはゴム手袋とマスクが必要。」、「その人物の血液に素手で触れない。」等である。
【００１６】
また、リスク情報データベース４の一つである渡航情報データベース４ｂには、渡航経験を持つ複数の人物の身元情報と、それらの人物のリスク情報を含む可能性がある特定情報である渡航情報とが関連付けて格納されている。渡航情報に含まれるリスク情報とは、例えば、伝染病が発生している国、地域に最近行ったことがあるという情報である。この渡航情報データベース４ｂは、例えば、外務省や旅行会社に設置されている。この渡航情報データベース４ｂは、倒れている人物がいた場合、その人物の身元情報に基づいてその人物が有するリスク情報を取得する場合に利用される。
【００１７】
また、渡航情報データベース４ｂには、各リスク情報に対応付けられた対処情報が格納されている。
【００１８】
関係機関５の一つである医療機関５ａは、倒れている人物が搬送される病院等である。この医療機関５ａに対しては、上述したリスク情報または後述する他のリスク情報を有する人物が搬送される場合、搬送される人物がリスク情報を有している旨の情報がリスク情報提供端末装置１から送信される。
【００１９】
関係機関５の一つである死亡時医学検索センタ５ｂは、死亡時医学検索を行える設備を備えた医療機関等である。この死亡時医学検索センタ５ｂに対しては、上述したリスク情報または後述する他のリスク情報を有する人物が搬送される場合、搬送される人物がリスク情報を有している旨の情報がリスク情報提供端末装置１から送信される。
【００２０】
本部内通信機器６は、例えば、各都道府県の警察本部や警察署、消防署等に設けられている通信機器である。この本部内通信機器６は、リスク情報提供端末装置１との間で音声や画像等の送受信が可能とされている。
【００２１】
気象センタ７は、特定の地域（例えば、倒れている人物がいる地域）や特定の時間帯の気象情報を参照できたり、問い合わせた場合に答えてくれる機関であり、例えば、気象庁や気象情報提供サービス会社等が相当する。
【００２２】
次に、このようにインターネット２を介して各種データベース等に接続され、特にリスク情報の送受等を行うリスク情報提供端末装置１について説明する。このリスク情報提供端末装置１は、事件・事故等が発生した現場に出動する警察官や救急隊員等が携帯する装置である。このリスク情報提供端末装置１には、通信を行うための各種の機器と、現場に出動した警察官や救急隊員、その他の者（例えば、倒れている人物がいた場合、その人物が搬送される関係機関５の職員等）に対するリスク情報を取得するための各種の機器と、リスク情報以外のその他の情報を取得するための各種の機器とが設けられている。ここで、「リスク情報」とは、人間の生命や健康に対して悪影響を及ぼす原因となる情報を意味する。
【００２３】
このリスク情報提供端末装置１には、装置全体の制御を行う制御部８と、この制御部８に接続されて通信を行う各種の機器と、制御部８に接続されて現場に出動した警察官や救急隊員、その他の者（例えば、関係機関５の職員等）に対するリスク情報を取得するための各種の機器と、制御部８に接続されてリスク情報以外のその他の情報を取得する各種の機器とが設けられている。
【００２４】
この制御部８には、倒れている人物の周囲の環境情報をこれらの機器の一部である後述するセンサにより取得した場合、取得された環境情報の中にリスク情報が含まれているか否かを判断する第１判断部８ａと、倒れている人物の状態情報をこれらの機器の一部である後述するセンサで取得した場合、取得された状態情報の中にリスク情報が含まれている
か否かを判断する第２判断部８ｂとが設けられている。
【００２５】
次に、リスク情報提供端末装置１に設けられている機器のうち、通信を行うための機器について説明する。通信を行うための機器としては、キー操作部９と、通信部１０と、記憶部１１と、表示部１２と、マイク１３と、スピーカ１４とが設けられている。これらの機器の一部（例えば、通信部１０、記憶部１１、表示部１２等）は、通信を行う場合にのみ用いられるのではなく、リスク情報やその他の情報を取得する場合にも用いられる。
【００２６】
キー操作部９は、テンキーや各種の機能キーを備え、これらのキーはリスク情報提供端末装置１の使用態様に応じて適宜操作される。例えば、音声通信を行う場合には、音声通信を開始する前に音声通信を行うための機能キーが操作される。また、指紋認証データベース３にアクセスする場合には、アクセスするための機能キーが操作され、その後アクセス権限を有する警察官や救急隊員等の認証番号がテンキーから入力される。
【００２７】
通信部１０は、リスク情報提供端末装置１と、インターネット２を介してリスク情報提供端末装置１に接続されている各部（例えば、指紋認証データベース３、リスク情報データベース４、関係機関５）との間での通信を行う部分である。例えば、倒れている人物の指紋情報を後述する指紋読取装置により取得し、その指紋情報を指紋認証データベース３に送信した場合には、その指紋情報に関連付けて指紋認証データベース３に格納されている身元情報が取得され、取得された身元情報が指紋認証データベース３からリスク情報提供端末装置１に送信される。また、取得された身元情報をリスク情報データベース４に送信した場合には、その人物がリスク情報を有する場合にはそのリスク情報がリスク情報データベース４からリスク情報提供端末装置に１に送信される。
【００２８】
記憶部１１は、リスク情報データベース４から送信されたリスク情報や、後述する各種のセンサ等により取得された情報や、その情報の中に含まれるリスク情報を記憶する部分である。例えば、リスク情報データベース４からリスク情報提供端末装置１にリスク情報が送信された場合、そのリスク情報は第１記憶部である記憶部１１に記憶される。また、倒れている人物の周囲の環境情報が後述するセンサによって取得された場合、その環境情報と、その環境情報に含まれていると第１判断部８ａにより判断されたリスク情報とが第２記憶部である記憶部１１に記憶される。また、倒れている人物の状態情報が後述するセンサによって取得された場合、その状態情報と、その状態情報の中に含まれていると第２判断部８ｂにより判断されたリスク情報とが第３記憶部である記憶部１１に記憶される。
【００２９】
また、記憶部１１には、取得した環境情報や状態情報の中にリスク情報が含まれているか否かを判断する場合に使用されるリスク情報判断基準テーブル（図示せず）が設けられている。このリスク情報判断基準テーブルには、リスク情報となりうる項目（例えば、一酸化炭素、各種有毒ガス、各種放射線、各種放射性物質、各種病原体等）と、それらの項目の値がどの程度になった場合にリスク情報になるかという閾値とが格納されている。
【００３０】
表示部１２は、各種の表示が行われる部分であり、例えば、通信を行う場合の通信相手先等が表示される。また、表示部１２は、リスク情報データベース４からリスク情報が送信された場合、送信されたリスク情報を表示する第１表示部として機能する。さらに表示部１２は、後述するセンサにより取得された環境情報の中にリスク情報が含まれていると第１判断部８ａにより判断された場合、そのリスク情報を表示する第２表示部として機能する。さらに表示部１２は、後述するセンサにより取得された状態情報の中にリスク情報が含まれていると第２判断部８ｂにより判断された場合、そのリスク情報を表示する第３表示部として機能する。また、この表示部１２は、後述するＧＰＳの位置情報取得部で取得した位置情報を表示する機能を有している。
【００３１】
マイク１３とスピーカ１４とは、携帯電話機や無線機等に設けられているマイクやスピーカと同じ機能を有し、送信する音声をマイク１３から入力することができ、受信した音声をスピーカ１４から出力することができる。
【００３２】
次に、現場に出動した警察官や救急隊員、その他の者に対するリスク情報を取得するための機器について説明する。
【００３３】
リスク情報を取得するための機器としては、生体情報取得部である指紋読取装置１５と、環境情報取得部であるガスセンサ１６と、環境情報取得部であるとともに状態情報取得部であるガイガーカウンタ１７と、状態情報取得部であるバイオセンサ１８とが設けられている。
【００３４】
指紋読取装置１５は、人物の生体情報の一つである指紋情報を取得する装置である。この指紋読取装置１５は、読取部を人物の指に押し当てて光を照射することにより指紋を光学的に読み取ることができる既知の構造をしている。この指紋読取装置１５により、倒れている人物の指紋情報をその人物の生死に係らず取得することができる。そして、この指紋読取装置１５で取得された指紋情報は、通信部１０からインターネット２を介して指紋認証データベース３に送信される。
【００３５】
ガスセンサ１６は、倒れている人物の周囲の環境情報である一酸化炭素やその他の有毒ガスの有無や濃度等のガス情報を取得するセンサである。このようなガスセンサ１６としては、ＭＥＭＳ（Micro Electro Mechanical System）技術を用いた小型の半導体式ガス
センサが開発されており、この小型化されたガスセンサ１６をリスク情報提供端末装置１に搭載することにより、一酸化炭素やその他の有毒ガス等の複数種類のガスに関するガス情報を取得することができる。このガスセンサ１６により取得されたガス情報は、第２記憶部として機能する記憶部１１に記憶される。
【００３６】
ガイガーカウンタ１７は、倒れている人物の周囲の環境情報である放射線の有無や量等の放射線情報を取得する環境情報取得部として機能し、さらに、倒れている人物の状態情報であるその人物に付着している放射性物質の有無や量等の放射性物質情報を取得する状態情報取得部として機能するセンサである。このガイガーカウンタ１７により取得された放射線情報は、第２記憶部として機能する記憶部１１に記憶される。また、ガイガーカウンタ１７により取得された放射性物質情報は、第３記憶部として機能する記憶部１１に記憶される。
【００３７】
バイオセンサ１８は、倒れている人物の状態情報であるその人物に付着している強毒性病原体の有無や量等の病原体情報を取得するセンサである。このバイオセンサ１８により取得された病原体情報は、第３記憶部として機能する記憶部１１に記憶される。
【００３８】
次に、リスク情報以外のその他の情報を取得するための各種の機器について説明する。この機器としては、血流／体温感知センサ１９と、温度／湿度センサ２０と、電流／電圧センサ２１と、カメラ２２と、ＧＰＳの位置情報取得部２３とが設けられている。
【００３９】
血流／体温感知センサ１９は、倒れている人物の血流や体温を取得するセンサである。この血流／体温感知センサ１９により取得された情報は、倒れている人物の生死の判定に利用することができる。
【００４０】
温度／湿度センサ２０は倒れている人物の周囲の温度／湿度情報を取得するセンサであり、電流／電圧センサ２１は倒れている人物の感電の可能性の情報を取得するセンサである。
【００４１】
カメラ２２は、倒れている人物や倒れている人物がいる現場の画像情報を取得する機器である。
【００４２】
位置情報取得部２３は、人工衛星からの信号をもとに自己の位置情報を取得する機器であり、取得した位置情報は表示部１２、及び、本部内通信機器６の表示部に表示される。
【００４３】
次に、図２のフローチャートを用いて、この医療診断支援システムにおける処理全体の概略を説明する。まず、ステップ１としては、出動した警察官や救急隊員等は、倒れている人物の身元確認を行い、その身元情報の中に含まれるリスク情報を取得する。ステップＳ２としては、倒れている人物の周囲の環境情報の中に含まれるリスク情報を取得する。ステップＳ３としては、倒れている人物の状態情報の中に含まれるリスク情報を取得する。そして、ステップＳ４としては、その他の情報を取得する。
【００４４】
尚、ステップＳ１〜Ｓ４の処理は、必ずしもこの順に行う必要はなく、いずれを先に行ってもよい。
【００４５】
次に、各ステップの処理について、図３から図６を用いて詳細に説明する。
【００４６】
まず、ステップＳ１の処理について、図３及び図４を参照して説明する。図３は、身元情報の取得処理を示すフローチャートである。
【００４７】
まず、倒れている人物の身元情報が判明したか否かが判断される（ステップＳ１１）。このステップＳ１１では、倒れている人物が携帯する運転免許証等の携帯品から身元が判明した場合にはキー操作部９の特定キーが操作されることにより身元情報が判明したと判断される（ステップＳ１１のＹＥＳ）。一方、携帯品から身元が判明しない場合にはキー操作部９の他の特定キーが操作され、この操作により身元情報が判明しないと判断される（ステップＳ１１のＮＯ）。
【００４８】
身元情報が判明したと判断された場合には（ステップＳ１１のＹＥＳ）、キー操作部９が操作されることにより判明した身元情報がリスク情報提供端末装置１に入力される（ステップＳ１２）。
【００４９】
身元情報が判明しないと判断された場合には（ステップＳ１１のＮＯ）、指紋情報の取得が行われ（ステップＳ１３）、取得された指紋情報が指紋認証データベース３に送信される（ステップＳ１４）。
【００５０】
指紋認証データベース３では、リスク情報提供端末装置１から送信された指紋情報が受信される（ステップＳ１５）。
【００５１】
指紋認証データベース３では、ステップＳ１５において受信された指紋情報と一致する指紋情報が格納されているか否かが判断される（ステップＳ１６）。一致する指紋情報が格納されていると判断された場合には（ステップＳ１６のＹＥＳ）、その指紋情報と関連付けて格納されている身元情報が倒れている人物の身元情報であるとして取得され（ステップＳ１７）、取得された身元情報がリスク情報提供端末装置１に送信され（ステップＳ１８）、指紋認証データベース３での処理が終了する。
【００５２】
一方、一致する指紋情報が格納されていないと判断された場合には（ステップＳ１６のＮＯ）、一致する指紋情報が格納されていない旨を示す信号がリスク情報提供端末装置１に送信され（図示せず）、指紋認証データベース３での処理が終了する。
【００５３】
ステップＳ１８において指紋認証データベース３から送信された身元情報は、リスク情報提供端末装置１において受信され（ステップＳ１９）、身元情報の取得処理が終了する。
【００５４】
次に、図４のフローチャートを用いて、図３のステップ１９で取得された身元情報を基にリスク情報を取得する処理について説明する。
【００５５】
まず、指紋認証データベース３から取得した身元情報が記憶部１１に記憶される（ステップＳ２０）。また、ステップＳ１２において入力された身元情報も、ステップＳ２０において記憶部１１に記憶される。
【００５６】
ステップＳ２０において記憶部１１に記憶された身元情報は、電子カルテ情報データベース４ａと渡航情報データベース４ｂとに送信される（ステップＳ２１）。
【００５７】
ステップＳ２１においてリスク情報提供端末装置１から送信された身元情報は、電子カルテ情報データベース４ａにおいて受信されるとともに（ステップＳ２２）、渡航情報データベース４ｂにおいて受信される（ステップＳ２３）。
【００５８】
電子カルテ情報データベース４ａでは、ステップＳ２２において受信した身元情報と一致する身元情報の電子カルテ情報が格納されているか否かが判断される（ステップＳ２４）。電子カルテ情報データベース４ａの中に、受信した身元情報と一致する身元情報の電子カルテ情報が格納されていると判断された場合には（ステップＳ２４のＹＥＳ）、その電子カルテ情報の中にリスク情報が含まれているか否かが判断される（ステップＳ２５）。
【００５９】
電子カルテ情報の中にリスク情報が含まれていると判断された場合には（ステップＳ２５のＹＥＳ）、含まれているリスク情報とそのリスク情報に対応付けられた対処情報とが取得され（ステップＳ２６）、取得されたリスク情報と対処情報とがリスク情報提供端末装置１に送信され（ステップＳ２７）、電子カルテ情報データベース４ａでの処理が終了する。
【００６０】
一方、ステップＳ２４において、電子カルテ情報データベース４ａの中に、受信した身元情報と一致する身元情報の電子カルテ情報は格納されていないと判断された場合には（ステップＳ２４のＮＯ）、電子カルテ情報データベース４ａの中には受信した身元情報と一致する身元情報のカルテ情報は格納されていない旨を示す信号がリスク情報提供端末装置１に送信され（図示せず）、電子カルテ情報データベース４ａでの処理が終了する。
【００６１】
また、ステップＳ２５において、電子カルテ情報の中にリスク情報が含まれていないと判断された場合には（ステップＳ２５のＮＯ）、電子カルテ情報の中にはリスク情報が含まれていない旨を示す信号がリスク情報提供端末装置１に送信され（図示せず）、電子カルテ情報データベース４ａでの処理が終了する。
【００６２】
渡航情報データベース４ｂでは、ステップＳ２３において受信した身元情報と一致する身元情報の渡航情報が格納されているか否かが判断される（ステップＳ２８）。
【００６３】
渡航情報データベース４ｂの中に、受信した身元情報と一致する身元情報の渡航情報が格納されていると判断された場合には（ステップＳ２８のＹＥＳ）、その渡航情報の中にリスク情報が含まれているか否かが判断される（ステップＳ２９）。
【００６４】
渡航情報の中にリスク情報が含まれていると判断された場合には（ステップＳ２９のＹＥＳ）、含まれているリスク情報とそのリスク情報に対応付けられた対処情報とが取得され（ステップＳ３０）、取得されたリスク情報と対処情報とがリスク情報提供端末装置１が送信され（ステップＳ３１）、渡航情報データベース４ｂでの処理が終了する。
【００６５】
一方、ステップＳ２８において、渡航情報データベース４ｂの中に、受信した身元情報と一致する身元情報の人物の渡航情報が格納されていないと判断された場合には（ステップＳ２８のＮＯ）、渡航情報データベース４ｂの中には受信した身元情報と一致する身元情報の渡航情報は格納されていない旨を示す信号がリスク情報提供端末装置１に送信され（図示せず）、渡航情報データベース４ｂでの処理が終了する。
【００６６】
また、ステップＳ２９において、渡航情報の中にリスク情報が含まれていないと判断された場合には（ステップＳ２９のＮＯ）、渡航情報の中にはリスク情報が含まれていない旨を示す信号がリスク情報提供端末装置１に送信され（図示せず）、渡航情報データベース４ｂでの処理が終了する。
【００６７】
ステップＳ２７において送信されたリスク情報と対処情報及びステップＳ３１において送信されたリスク情報と対処情報は、リスク情報提供端末装置１で受信される（ステップＳ３２）。この受信されたリスク情報と対処情報とが、記憶部１１に記憶され（ステップＳ３３）、表示部１２で表示される（ステップＳ３４）。
【００６８】
一方、この受信されたリスク情報と対処情報は、関係機関（医療機関５ａ、死亡時医学検索センタ５ｂ等）５に送信され（ステップＳ３５）、リスク情報データベース４からリスク情報を取得する処理が終了する。
【００６９】
ここで、この医療診断支援システムによれば、倒れている人物がいる場合、その人物の身元を、リスク情報提供端末装置１と指紋認証データベース３とにより取得することができる。そして、取得した身元情報に基づいて、リスク情報データベース（電子カルテ情報データベース４ａ、渡航情報データベース４ｂ）４からその人物が有するリスク情報と対処情報とを取得することができる。
【００７０】
ここで、リスク情報データベース４からリスク情報と対処情報とが送信された場合には、それらのリスク情報と対処情報とがステップＳ３４においてリスク情報提供端末装置１の表示部１２に表示される。このため、リスク情報提供端末装置１を携帯している警察官や救急隊員等がこの表示を見ることにより、倒れている人物がリスク情報を有していることを知ることができ、さらに、そのリスク情報を有する人物に対処する方法を知ることができる。したがって、警察官や救急隊員等のように、倒れている人物に接触する可能性のある者のリスク情報に対する安全性を確保することができる。
【００７１】
また、これらのリスク情報と対処情報とは、ステップＳ３５において関係機関（医療機関５ａ、死亡時医学検索センタ５ｂ等）５に送信される。このため、倒れている人物が搬送される関係機関５では、搬送される人物がリスク情報を有することを予め知ることができ、さらに、そのリスク情報を有する人物に対処する方法を知ることができる。したがって、関係機関５の職員等のリスク情報に対する安全性を確保することができる。
【００７２】
また、倒れている人物の個人情報を保護する観点から、リスク情報提供端末装置１に記録／表示される身元情報は、例えばＩＤ、氏名等の必要最低限なものとし、リスク情報も例えばリスクの種類と対処情報のみの表示に限ることで、プライバシーの侵害とならないようにすることが望ましい。あるいは、リスク情報提供端末装置１の操作者のＩＤ/パス
ワード等による権限設定により、閲覧できる情報を権限によって制御することも考えられ
る。
【００７３】
図５は、医療診断支援システムにおける、倒れている人物の周囲の環境情報の中からリスク情報を取得する処理を説明するフローチャートであり、図２に示したフローチャートのステップＳ２の内容を詳しく説明するものである。
【００７４】
まず、倒れている人物の周囲の環境情報が取得される（ステップＳ４１）。この環境情報の取得は、ガスセンサ１６とガイガーカウンタ１７とにより行われ、ガスセンサ１６により環境情報の一つである一酸化炭素やその他の有毒ガスの有無や濃度等のガス情報が取得され、ガイガーカウンタ１７により環境情報の一つである放射線の有無や量等の放射線情報が取得される。
【００７５】
取得された環境情報は記憶部１１に記憶され（ステップＳ４２）、取得された環境情報の中にリスク情報が含まれているか否かが、制御部８の第１判断部８ａにより判断される（ステップＳ４３）。この第１判断部８ａによる判断は、取得された環境情報と、記憶部１１に設けられているリスク情報判断基準テーブルの項目及び閾値とを比較することにより行われる。
【００７６】
取得された環境情報の中にリスク情報が含まれていると判断された場合には（ステップＳ４３のＹＥＳ）、そのリスク情報が取得され（ステップＳ４４）、取得されたリスク情報が記憶部１１に記憶され（ステップＳ４５）、記憶されたリスク情報が表示部１２で表示される（ステップＳ４６）。このリスク情報が関係機関５に送信され（ステップＳ４７）、環境情報の中に含まれているリスク情報を取得する処理が終了する。
【００７７】
一方、ステップＳ４３において環境情報の中にリスク情報が含まれていないと判断された場合には（ステップＳ４３のＮＯ）、リスク情報が無い旨が表示部１２で表示され（ステップＳ４８）、環境情報の中に含まれているリスク情報を取得する処理が終了する。
【００７８】
ここで、倒れている人物の周囲の環境情報の中にリスク情報が含まれている場合には、そのリスク情報が取得され、取得されたリスク情報がステップＳ４６において表示部１２に表示される。このため、リスク情報提供端末装置１を携帯している警察官や救急隊員等がこの表示を見ることにより、倒れている人物の周囲の環境情報の中にリスク情報が含まれていることを知ることができ、そのリスク情報に対する必要な対応をとることが可能になる。したがって、倒れている人物がいる現場に出動する警察官や救急隊員等のリスク情報に対する安全性を確保することができる。
【００７９】
また、取得されたリスク情報は、ステップＳ４７において関係機関５へ送信される。このため、倒れている人物が搬送される関係機関５では搬送される人物がリスク情報の示すリスクに曝露されていたことを予め知ることができ、そのリスク情報に対する必要な対応をとることが可能となる。したがって、関係機関５の職員等のリスク情報に対する安全性を確保することができる。
【００８０】
図６は、医療診断支援システムにおける、倒れている人物の状態情報の中からリスク情報を取得する処理を説明するフローチャートであり、図２に示したフローチャートのステップＳ３の内容を詳しく説明するものである。
【００８１】
まず、倒れている人物の周囲の状態情報が取得される（ステップＳ５１）。この状態情報の取得は、ガイガーカウンタ１７とバイオセンサ１８とにより行われ、ガイガーカウンタ１７により状態情報の一つである倒れている人物に付着している放射性物質の有無や量等の放射性物質情報が取得され、バイオセンサ１８により状態情報の一つである倒れてい
る人物に付着している強毒性病原体の有無や量等の病原体情報が取得される。必要と判断される場合には、電流／電圧センサ２１を用いて、倒れている人物や周囲が感電して高電圧を帯びているかどうかの情報も取得される。
【００８２】
取得された状態情報は記憶部１１に記憶され（ステップＳ５２）、取得された状態情報の中にリスク情報が含まれているか否かが、制御部８の第２判断部８ｂにより判断される（ステップＳ５３）。この第２判断部８ｂによる判断は、取得された状態情報と、記憶部１１に設けられているリスク情報判断基準テーブルの項目及び閾値とを比較することにより行われる。
【００８３】
取得された状態情報の中にリスク情報が含まれていると判断された場合には（ステップＳ５３のＹＥＳ）、そのリスク情報が取得され（ステップＳ５４）、取得したリスク情報が記憶部１１に記憶され（ステップＳ５５）、記憶されたリスク情報が表示部１２に表示され（ステップＳ５６）、そのリスク情報が関係機関５に送信され（ステップＳ５７）、状態情報の中に含まれているリスク情報を取得する処理が終了する。
【００８４】
ここで、倒れている人物の状態情報の中にリスク情報が含まれている場合には、そのリスク情報が取得され、取得されたリスク情報がステップＳ５６において表示部１２に表示される。このため、リスク情報提供端末装置１を携帯している警察官や救急隊員等がこの表示を見ることにより、倒れている人物の状態情報の中にリスク情報が含まれていることを知ることができ、そのリスク情報に対する必要な対応をとることが可能になる。したがって、倒れている人物がいる現場に出動する警察官や救急隊員等のリスク情報に対する安全性を確保することができる。
【００８５】
また、取得されたリスク情報は、ステップＳ５７において関係機関５へ送信される。このため、倒れている人物が搬送される関係機関５では搬送される人物がリスク情報を有することを予め知ることができ、そのリスク情報に対する必要な対応をとることが可能となる。したがって、関係機関５の職員等のリスク情報に対する安全性を確保することができる。
【００８６】
一方、ステップＳ５３において状態情報の中にリスク情報が含まれていないと判断された場合には（ステップＳ５３のＮＯ）、リスク情報が無い旨が表示部１２に表示され（ステップＳ５８）、状態情報の中に含まれているリスク情報を取得する処理が終了する。
【００８７】
以上のように、図２のステップ１からステップ３に示したリスク情報取得を終了することが出来る。
【００８８】
さらに、リスク情報提供端末装置１の血流／体温感知センサ１９、温度／湿度センサ２０、カメラ２２、位置情報取得部２３により、上述したリスク情報以外のその他の情報が取得され、取得された情報は記憶部１１に記憶される。この情報は、死亡時医学検索を行う際に必要に応じて呼び出される。
【００８９】
尚、本実施形態では、身元情報を取得するための生体情報として指紋情報を利用する場合を例に挙げて説明したが、生体情報としては指紋情報に限らず個人認証を行うための他の生体情報、例えば、虹彩、顔、静脈、遺伝子、歯型、骨格の一部等の情報を利用してもよい。
【００９０】
また、本実施形態では、リスク情報提供端末装置１と各種データベースがインターネット２を介して接続されている場合を例に挙げて説明したが、他の情報通信網、例えば、イントラネット等、セキュリティを強化した専用情報通信網等であってもよい。
【００９１】
また、本実施形態で説明した環境情報と環境情報を計測するためのセンサは、ここに挙げたものには限らず、他に例えば、ｐＨを測定するためのｐＨセンサや、皮膚等の硬度を測定するための硬度センサ等であってもよい。
【００９２】
また、本実施形態で説明した、このようにインターネット等の情報通信網を介してリスク情報提供端末装置１に接続される各種データベースは、ここに挙げたものには限らず、他に例えば、流行している伝染病等の情報を提供する保健所や、災害の状況の情報が得られるような災害対策データベースであってもよい。
【００９３】
また、本実施形態では、指紋認証データベース３から取得した身元情報をリスク情報提供端末装置１に送信し、その身元情報をリスク情報提供端末装置１からリスク情報データベース４に送信する場合を例に挙げて説明したが、指紋認証データベース３から取得した身元情報を、リスク情報提供端末装置１を経由させずに指紋認証データベース３からリスク情報データベース４に送信してもよい。
【００９４】
また、本実施形態では、リスク情報データベース４から送信されたリスク情報を記憶する第１記憶部と、倒れている人物の周囲の環境情報の中に含まれているリスク情報を記憶する第２記憶部と、倒れている人物の状態情報の中に含まれているリスク情報を記憶する第３記憶部とを一つの記憶部１１とした場合を例に挙げて説明したが、それぞれ別個に設けてもよい。
【００９５】
また、本実施形態では、リスク情報データベース４から送信されたリスク情報を表示する第１表示部と、倒れている人物の周囲の環境情報の中に含まれているリスク情報を表示する第２表示部と、倒れている人物の状態情報の中に含まれているリスク情報を表示する第３表示部とを一つの表示部１２とした場合を例に挙げて説明したが、それぞれ別個に設けてもよい。
【００９６】
また、本実施形態では、リスク情報データベース４から取得されたリスク情報と、環境情報から取得されたリスク情報と、状態情報から取得されたリスク情報とを関係機関５に送信する場合、各リスク情報が取得される度に送信する場合を例に挙げて説明したが、この送信を一度に行うようにしてもよい。
【００９７】
以上説明したように、本実施形態の医療診断支援システムによれば、倒れている人物がいる現場に出動する警察官等がリスク情報提供端末装置１を携帯し、その人物の生体情報である指紋情報を生体情報取得部である指紋読取装置１５で読取り、読取った指紋情報に基づいてその人物の身元情報を身元情報データベースである指紋認証データベース３から取得することができる。そして、取得した身元情報に基づいてリスク情報データベース４からその人物のリスク情報を取得することができ、取得したリスク情報がリスク情報提供端末装置１の表示部１２に表示されるので、警察官等は表示部１２の表示を見ることにより倒れている人物がリスク情報を有することを知ることができ、リスク情報に対して適切な対応を取ることができ、警察官等のリスク情報に対する安全性を確保することができる。
【００９８】
以上、本発明の実施形態を説明したが、この実施形態は、例として提示したものであり、発明の範囲を限定することを意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００９９】
１    リスク情報提供端末装置、
３    指紋認証データベース（身元情報データベース）
４    リスク情報データベース
５    関係機関
１０    通信部
１１    記憶部（第１記憶部、第２記憶部、第３記憶部）
１２    表示部（第１表示部、第２表示部、第３表示部）
１５    指紋読取装置（生体情報取得部）
１６    ガスセンサ（環境情報取得部）
１７    ガイガーカウンタ（環境情報取得部、状態情報取得部）
１８    バイオセンサ（状態情報取得部）
【図１】
0006026137.tif 000002
【図２】
0006026137.tif 000003
【図３】
0006026137.tif 000004
【図４】
0006026137.tif 000005
【図５】
0006026137.tif 000006
【図６】
0006026137.tif 000007